(57)【特許請求の範囲】
【請求項１】
電子マネー情報を記憶する記憶媒体に対する情報の読み書きを行うリーダライタと、商品に表示されている商品コードの情報を読み取るスキャナとを備える本体部と、
前記本体部を着脱可能に保持する保持部と、
を備え、
前記本体部は、
前記保持部に保持されている場合に、前記スキャナを介して一つの商品コードの情報を読み取って商品情報を登録した後、前記リーダライタを介して前記登録した商品情報に対して電子決済を行うことのみを許容する単品決済モードを実行し、他方、前記保持部から取り外された場合に、前記単品決済モードと異なるモードを実行し、
前記記憶媒体に記憶されている商品の購入履歴を示す履歴情報を読み取る読取手段と、
客による決済の正否を確認する動作を指示する確認指示手段と、
前記確認指示手段の指示に基づいて、前記読取手段を介して客の所持する記憶媒体から前記履歴情報を読み取って表示部に表示し、客による決済の正否を確認する確認モードを実行する確認モード実行手段と、
を更に備える、
決済端末。
【請求項２】
前記本体部は、
前記決済モードの切替え指示を行う切替指示手段と、
前記切替指示手段の切替え指示に基づいて、前記単品決済モードと、前記スキャナを介して１または複数の商品コードの情報を読み取って商品情報を登録した後、前記リーダライタを介して前記登録した商品情報に対して電子決済を行うことを許容する複数決済モードとを切替える決済モード切替手段と、
を更に備える、請求項１に記載の決済端末。
【請求項３】
前記本体部は、前記保持部から取り外された場合に、前記スキャナを介して１または複数の商品の商品コードの情報を読み取り商品情報を登録し、該登録した商品情報をコード化したコードを印字した事前登録券を所定のプリンタで発行する前捌きモードを実行する前捌き手段を更に備える、請求項１または２に記載の決済端末。
【請求項４】
前記本体部は、前記保持部に保持されている場合に、前記保持部に関連付けられたプリンタに通信接続し、他方、前記保持部から取り外された場合に、前記事前登録券を発行する先として指定されているプリンタに通信接続するプリンタ切替手段を更に備える、請求項３に記載の決済端末。
【請求項５】
前記本体部は、前記単品決済モードにおいて単品決済が終了した場合に当該決済が終了した商品に貼付する、決済が終了していることを示す決済済みシールを所定のプリンタで印字発行する、請求項１〜４のいずれか一項に記載の決済端末。
【発明の詳細な説明】
【技術分野】
【０００１】
本発明の実施形態は、決済端末に関する。
【背景技術】
【０００２】
従来、商品を販売する店舗などに設置され、商品の登録および決済を行う決済端末としてＰＯＳ（Ｐｏｉｎｔ  Ｏｆ  Ｓａｌｅｓ：販売時点情報管理）端末が一般的に知られている。
【発明の概要】
【発明が解決しようとする課題】
【０００３】
従来、利用者にとって使い勝手の良い決済端末が望まれている。
【課題を解決するための手段】
【０００４】
本実施形態の決済端末は、電子マネー情報を記憶する記憶媒体に対する情報の読み書きを行うリーダライタと、商品に表示されている商品コードの情報を読み取るスキャナとを備える本体部と、前記本体部を着脱可能に保持する保持部と、を備え、前記本体部は、前記保持部に保持されている場合に、前記スキャナを介して一つの商品コードの情報を読み取って商品情報を登録した後、前記リーダライタを介して前記登録した商品情報に対して電子決済を行うことのみを許容する単品決済モードを実行し、他方、前記保持部から取り外された場合に、前記単品決済モードと異なるモードを実行し、前記記憶媒体に記憶されている商品の購入履歴を示す履歴情報を読み取る読取手段と、客による決済の正否を確認する動作を指示する確認指示手段と、前記確認指示手段の指示に基づいて、前記読取手段を介して客の所持する記憶媒体から前記履歴情報を読み取って表示部に表示し、客による決済の正否を確認する確認モードを実行する確認モード実行手段と、を更に備える。
【図面の簡単な説明】
【０００５】
【図１】図１は、本実施形態に係る決済端末の外観構成を示す斜視図である。
【図２】図２は、本実施形態に係る決済端末の外観構成を示す斜視図である。
【図３】図３は、本体部の一側面を示す側面図である。
【図４】図４は、本体部の背面を示す背面図である。
【図５】図５は、保持部の正面を示す正面図である。
【図６】図６は、保持部の一側面を示す側面図である。
【図７】図７は、本体部の制御系のハードウェア構成を示すブロック図である。
【図８】図８は、ＣＰＵの機能構成を示すブロック図である。
【図９】図９は、本体部が保持部に保持されている状態における利用形態を示す斜視図である。
【図１０】図１０は、本体部が保持部から取り外された状態における利用形態を示す斜視図である。
【図１１】図１１は、決済端末における処理動作の流れを示すフローチャートである。
【発明を実施するための形態】
【０００６】
以下、実施形態について添付図面を参照して説明する。
【０００７】
なお、本実施形態に係る決済端末は、概略的には、本体部が保持部に保持されている状態において、客自身が購入対象の商品に係る商品の登録および決済を行う決済モードを実行するセルフ式の決済端末となり、他方、本体部が保持部から取り外された状態において、店員により利用されるモードを実行する決済端末となるものである。
【０００８】
最初に、本実施形態に係る決済端末１の外観構成について図１〜図６を用いて説明する。図１および図２は、本実施形態に係る決済端末１の外観構成を示す斜視図である。図１および図２に示すように、決済端末１は、本体部２と、その本体部２を着脱可能に保持する保持部（クレードル）３とを主体に構成されている。なお、図１が、本体部２が保持部３に保持されている様子を示し、図２が、本体部２が保持部３から取り外された様子を示している。
【０００９】
図３は、本体部２の一側面を示す側面図であり、図４は、本体部２の背面を示す背面図であり、図５は、保持部３の正面を示す正面図であり、図６は、保持部３の一側面を示す側面図である。
【００１０】
図示のように、本体部２は、正面に、各種情報を表示する液晶ディスプレイ（表示部）２１と、その液晶ディスプレイ２１に積層されるタッチパネル２２と、所定の読取り窓を介して電子マネー情報を記憶した記憶媒体（携帯電話機や電子マネーカードなど）（不図示）に対する情報の読み書きを行う電子マネーＲＷ２３と、所定の読取り窓を介して店舗で販売される商品（不図示）に表示されているコードシンボル（例えば、バーコードなど）の情報（商品コード）を読み取るＣＣＤスキャナ（以下、単に「スキャナ」という。）２４とを備えている。
【００１１】
本体部２の一側面には、後述の「単品決済モード」または「複数決済モード」のいずれか一方の決済モードを指定するための押しボタン式の切替ボタン２５と、客による決済の正否（即ち、客が正しく決済したか否か）を確認するための押しボタン式の確認ボタン２６とが設けられている。
【００１２】
本体部３の背面には、本体部２を保持部３に保持させる場合に保持部３の収納部３１に収納されるとともに、本体部２を保持部３から取り外した場合に店舗の店員の手により把持される収納把持体２７が設けられている。
【００１３】
また、本体部３の背面には、本体部２を保持部３に保持させる場合に保持部３の一対の第１の連結部３２、３２と夫々連結する一対の第１の連結部２８、２８（図３、図４参照）と、同じく本体部２を保持部３に保持させる場合に保持部３の一対の第２の連結部３３、３３と夫々連結する一対の第２の連結部２９、２９（図３、図４参照）とが設けられている。
【００１４】
更に、本体部３の背面には、本体部２を保持部３に保持させた場合に保持部３の一対の給電端子Ｔ３、Ｔ３と接続される一対の電源端子Ｔ１、Ｔ１（図３、図４参照）と、同じく本体部２を保持部３に保持させた場合に保持部３の通信端子Ｔ４と接続される通信端子Ｔ２（図３、図４参照）とが設けられている。
【００１５】
保持部３は、上記収納把持体２７を収納する収納部３１を備えている。
【００１６】
保持部３の正面には、上記一対の第１の連結部３２、３２と、上記一対の第２の連結部３３、３３と、上記一対の給電端子Ｔ３、Ｔ３と、上記通信端子Ｔ４とが設けられている（図２、図５、図６参照）。
【００１７】
なお、本実施形態の決済端末１は、商品を販売する店舗に設置されるものであり、例えば、コンビニエンスストアの商品陳列棚毎に設置され、一つの商品のみを購入するような客が自身で購入対象の商品の登録および決済を行うのに利用される。なお、複数の商品を購入希望する客は、上記コンビニエンスストアの会計場所に設置されているＰＯＳ端末にて店員（キャッシャ）などの操作により複数の商品の登録および決済を行ってもらう。
【００１８】
次に、本体部２の制御系のハードウェア構成について図７を用いて説明する。図７は、本体部２の制御系のハードウェア構成を示すブロック図である。図７に示すように、本体部２は、ＣＰＵ（Central  Processing  Unit）２０ａと、ＲＯＭ（Read  Only  Memory）２０ｂと、ＲＡＭ（Random  Access  Memory）２０ｃとを備え、それらがバスラインＢＬを介して接続されている。ＣＰＵ２０ａは、ＲＯＭ２０ｂに格納されたプログラムをＲＡＭ２０ｃに展開して実行することにより、本体部２の処理動作を制御する処理制御部２００（図９参照）として機能する。
【００１９】
また、ＣＰＵ２０ａには、バスラインＢＬやインターフェース（不図示）を介して、液晶ディスプレイ２１、タッチパネル２２、記憶装置（不揮発性メモリ）２０ｄ、入力Ｉ／Ｆ２０ｅ、電子マネーＲＷ２３、第１通信Ｉ／Ｆ２０ｆ、第２通信Ｉ／Ｆ２０ｇ、スキャナ２４、履歴リーダ２０ｈ、電源制御部２０ｉなどが接続されている。また、ＣＰＵ２０ａには、上記入力Ｉ／Ｆ２０ｅを介して切替ボタン２５および確認ボタン２６が接続されている。
【００２０】
ＲＯＭ２０ｂ、ＲＡＭ２０ｃおよび記憶装置２０ｄは、記憶手段として機能するものであり、各種データを格納する。なお、記憶装置２０ｄは、電源が遮断されても保持する必要のあるデータを記憶保持するための記憶手段であり、例えば、不揮発性メモリで構成される。
【００２１】
第１通信Ｉ／Ｆ２０ｆは、通信端子Ｔ２および保持部３の通信端子Ｔ４を介して有線で保持部３に接続され、決済済みシールＳを発行するプリンタＰ１と通信を行うインタフェースであり、他方、第２通信Ｉ／Ｆ２０ｇは、店員などにより予め本体部２に関連付けられ、Ｂｌｕｅｔｏｏｔｈ（登録商標）や無線ＬＡＮ（Local  Area  Network）などにより接続され、後述の前捌きモード実行時に事前登録券Ｒを発行するプリンタＰ２と通信を行うインタフェースである。なお、第１通信Ｉ／Ｆ２０ｆおよび第２通信Ｉ／Ｆ２０ｇは、図示しない店舗の会計場所に設置される親のＰＯＳ端末や店舗のオフィスに設置されるストアサーバなどとも通信を行うものである。
【００２２】
履歴リーダ２０ｈは、客による決済の正否を確認する際に、客の所持する記憶媒体（携帯電話機や電子マネーカードなど）から商品の購入履歴の情報を読み取る読取装置である。
【００２３】
電源制御部２０ｉは、本体部２への電源供給を制御するものであり、本体部２が保持部３に保持されている場合（即ち、電源端子Ｔ１と給電端子Ｔ３とが接続状態である場合）には、コンセント（不図示）を介して接続される商用電源（外部電源）ＰＷからの電力を本体部２の内部の各構成要素（ＣＰＵ２０ａ、ＲＯＭ２０ｂ、ＲＡＭ２０ｃ、液晶ディスプレイ２１、タッチパネル２２、記憶装置２０ｄ、電子マネーＲＷ２３、スキャナ２４、履歴リーダ２０ｈなど）に供給し、一方、本体部２が保持部３から取り外されている場合（即ち、電源端子Ｔ１と給電端子Ｔ３とが非接続状態である場合）には、本体部２が内蔵する蓄電池２０ｊからの電力を上記各構成要素に供給する。
【００２４】
即ち、本実施形態の本体部２は、保持部３に保持されている状態では、商用電源（外部電源）ＰＷから供給される電力により動作し、他方、保持部３から取り外された状態では、内蔵されている蓄電池２０ｊから供給される電力により動作するようになっている。
【００２５】
次に、本体部２の機能構成について図８を用いて説明する。図８は、ＣＰＵ２０ａの機能構成を示すブロック図である。図８に示すように、ＣＰＵ２０ａは、ＲＯＭ２０ｂなどに記憶されるプログラムをＲＡＭ２０ｃなどに展開して実行することにより、処理制御部２００として機能する。なお、処理制御部２００は、状態判定部２００ａ、決済モード切替部２００ｂ、単品決済部２００ｃ、複数決済部２００ｄ、前捌き部２００ｅ、プリンタ切替部２００ｆ、購入履歴確認部２００ｇを有している。
【００２６】
ここで、状態判定部２００ａは、電源端子Ｔ１と給電端子Ｔ３の接続状態／非接続状態により本体部２が保持部３に保持されているか、保持部３から取り外されているかを判定するものである。
【００２７】
決済モード切替部２００ｂは、状態判定部２００ａの判定結果に基づき本体部２が保持部３に保持されている状態で、切替ボタン２５および入力Ｉ／Ｆ２０ｅを介して「単品決済モード」を指定する指示が入力された場合に、本体部２が実行する決済モードを「単品決済モード」にすべく、後述の単品決済部２００ｃに実行指示を出力するものである。また、決済モード切替部２００ｂは、本体部２が保持部３に保持されている状態で、切替ボタン２５および入力Ｉ／Ｆ２０ｅを介して「複数決済モード」を指定する指示が入力された場合に、本体部２が実行する決済モードを「複数決済モード」にすべく、後述の複数決済部２００ｄに実行指示を出力するものである。
【００２８】
単品決済部２００ｃは、上記決済モード切替部２００ｂからの実行指示に基づいて、スキャナ２４を介して一つの商品の商品コードの情報を読み取って商品情報を登録した後、上記電子マネーＲＷ２３を介して上記登録した商品情報に対して電子決済を行うことのみを許容する「単品決済モード」を実行するものである。なお、この単品決済部２００ｃは、商品の単品決済を終了した場合に、プリンタＰ１を用いて決済済みシールＳを発行する。
【００２９】
複数決済部２００ｄは、上記決済モード切替部２００ｂからの実行指示に基づいて、スキャナ２４を介して１または複数の商品の商品コードの情報を読み取り商品情報を登録し、上記電子マネーＲＷ２３を介して上記登録した１または複数の商品の電子マネーによる決済を行うことを一取引とした「複数決済モード」を実行するものである。
【００３０】
前捌き部２００ｅは、状態判定部２００ａの判定結果に基づき本体部２が保持部３から取り外された場合に、スキャナ２４を介して１または複数の商品の商品コードの情報を取得して商品情報を登録し、該登録した商品情報をコード化したＱＲコード（２次元コード）を印字した事前登録券Ｒ（図１０）をプリンタＰ２を用いて発行する「前捌きモード」を実行するものである。
【００３１】
プリンタ切替部２００ｆは、状態判定部２００ａの判定結果に基づき本体部２が保持部３に保持されている場合に、第１通信Ｉ／Ｆ２０ｆを用いて保持部３に接続されているプリンタＰ１と通信接続を行い、他方、状態判定部２００ａの判定結果に基づき本体部２が保持部３から取り外された場合には、第２通信Ｉ／Ｆ２０ｇを用いて予め店員などにより本体部２と関連付けられているプリンタＰ２と通信接続を行うものである。
【００３２】
購入履歴確認部２００ｇは、状態判定部２００ａの判定結果に基づき本体部２が保持部３に保持されている場合で、且つ、確認ボタン２６が押下操作された場合に、履歴リーダ２０ｈを用いて、客の所持する記憶媒体（携帯電話機や電子マネーカードなど）から履歴情報を読み取って液晶ディスプレイ２１に表示し、客による決済の正否を確認する「確認モード」を実行するものである。なお、購入履歴確認部２００ｇは、購入履歴情報として、自店舗の購入情報のみを液晶ディスプレイ２１に表示し、他店舗の購入情報は液晶ディスプレイ２１に表示しない。
【００３３】
即ち、店員は、正しく決済をしていないと思われる客（即ち、決済したふりをして商品を持ち帰ろうとする客など）から電子マネー情報が記憶されている記憶媒体（携帯電話機や電子マネーカード）を拝借して、履歴リーダ２０ｈに履歴情報を読み取らせ、購入履歴確認部２００ｇによって液晶ディスプレイ２１に履歴情報を表示させることで、その表示された履歴情報から、客が持っている商品の値段と、液晶ディスプレイ２１に表示された購入履歴の一番新しい値段とを比べ両者が一致していれば正しく決済されたと判断し、他方、両者が一致していなければ決済が正しく行われていないと判断することができる。
【００３４】
なお、本実施形態の決済端末１は、基本的には、店員などによる切替ボタン２５の押下操作に基づき単品決済モードを実行するように設定される。
【００３５】
次に、本実施形態の決済端末１の利用形態について図９および図１０を用いて説明する。図９は、本体部２が保持部３に保持されている状態における利用形態を示す斜視図であり、図１０は、本体部２が保持部３から取り外された状態における利用形態を示す斜視図である。
【００３６】
即ち、本実施形態の決済端末１は、本体部２が保持部３に保持されている状態においては、上記単品決済部２００ｃによる上記「単品決済モード」または上記複数決済部２００ｄによる上記「複数決済モード」のいずれか一方を実行し、「単品決済モード」を実行する場合には、客が購入する一つの商品の決済が終了した場合に、保持部３に接続されているプリンタＰ１で決済済みシールＳ（図９参照）を発行する。
【００３７】
また、本実施形態の決済端末１は、本体部２が保持部３から取り外された状態においては、上記前捌き部２００ｅによる上記「前捌きモード」を実行し、予め店員などにより本体部２と関連付けられているプリンタＰ２で事前登録券Ｒ（図１０参照）を発行する。
【００３８】
なお、発行された事前登録券Ｒは、該当する客に手渡される。そして、客が、その事前登録券Ｒを店舗の会計場所で店員（キャッシャ）に手渡すと、キャッシャが客から受け取った事前登録券Ｒに印字されているＱＲコード（２次元コード）Ｑを会計場所に設置されている親となるＰＯＳ端末に接続されたスキャナに読み取らせる。すると、ＰＯＳ端末が、スキャナによって読み取られたＱＲコードに組み込まれたデータに基づいて決済処理を実行する。
【００３９】
次に、上記した構成を有する決済端末１における処理動作について図１１を用いて説明する。図１１は、決済端末１における処理動作の流れを示すフローチャートである。
【００４０】
図１１に示すように、決済端末１では、処理制御部２００の状態判定部２００ａが、本体部２が保持部３に保持されているか否かを判定する（ステップＳ１）。この判定の結果、状態判定部２００ａが、本体部２が保持部３に保持されている（図９参照）と判定した場合（ステップＳ１：Ｙｅｓ）、続いて、処理制御部２００では、単品決済モードが指定されているか否かを判定する（ステップＳ２）。
【００４１】
即ち、ステップＳ２の処理においては、決済モード切替部２００ｂが、状態判定部２００ａの判定結果に基づき本体部２が保持部３に保持されている状態で、切替ボタン２５および入力Ｉ／Ｆ２０ｅを介して「単品決済モード」を指定する指示が入力されていると、「単品決済モード」が指定されていると判定し（ステップＳ２：Ｙｅｓ）、本体部２が実行する決済モードを「単品決済モード」にすべく、単品決済部２００ｃに実行指示を出力する。これにより、続くステップＳ３において、単品決済部２００ｃが動作して、本体部２が上述の単品決済モードを実行可能な状態に遷移する。
【００４２】
なお、上記ステップＳ３においては、プリンタ切替部２００ｆが、第１通信Ｉ／Ｆ２０ｆを用いて保持部３に接続されているプリンタＰ１（図９参照）と通信接続を行う。
【００４３】
また、他方、上記ステップＳ２の処理において、決済モード切替部２００ｂが、状態判定部２００ａの判定結果に基づき本体部２が保持部３に保持されている状態で、切替ボタン２５および入力Ｉ／Ｆ２０ｅを介して「複数決済モード」を指定する指示が入力されていると、「複数決済モード」が指定されていると判定し（ステップＳ２：Ｎｏ）、本体部２が実行する決済モードを「複数決済モード」にすべく、複数決済部２００ｄに実行指示を出力する。これにより、続くステップＳ４において、複数決済部２００ｄが動作して、本体部２が上述の複数決済モードを実行可能な状態に遷移する。
【００４４】
一方、上記ステップＳ１の判定の結果、状態判定部２００ａが、本体部２が保持部３に保持されていない（図１０参照）と判定した場合（ステップＳ１：Ｎｏ）、続いて、処理制御部２００では、前捌き部２００ｅが動作して、本体部２が上述の前捌きモードを実行可能な状態に遷移する（ステップＳ５）。
【００４５】
なお、上記ステップＳ５においては、プリンタ切替部２００ｆが、第２通信Ｉ／Ｆ２０ｇを用いて予め店員などにより本体部２と関連付けられているプリンタＰ２（図１０参照）と通信接続を行う。
【００４６】
なお、上記ステップＳ３およびステップＳ４の処理においては、本体部２が保持部３から取り外されたか否かを判定しており、この判定の結果、本体部２が保持部３に保持されていると判定した場合には、それぞれの処理（ステップＳ３またはステップＳ４の処理）を継続する。一方、ステップＳ３およびステップＳ４における上記判定の結果、本体部２が保持部３から取り外されたと判定した場合には、処理制御部２００は、処理をステップＳ５に移行させる。
【００４７】
また、一方、上記ステップＳ５の処理においては、本体部２が保持部３に保持されたか否かを判定しており、この判定の結果、本体部２が保持部３から取り外されていると判定した場合には、ステップＳ５の処理を継続する。一方、ステップＳ５における上記判定の結果、本体部２が保持部３に保持されたと判定した場合には、処理制御部２００は、上記ステップＳ１の判定において、Ｙｅｓとし、その後、処理をステップＳ２の判定処理に移行させて以下同様の処理を行う。
【００４８】
ここで、上記図１１の具体的な処理の一例について説明する。
【００４９】
例えば、ステップＳ３の処理において、客がコンビニエンスストアなどの店舗において缶ジュースという１つの商品を購入する場合の単品決済処理について説明する。
【００５０】
この場合、ステップＳ３の処理において、本実施形態の決済端末１が設置されるコンビニエンスストアなどの店舗に訪れた客が商品陳列棚から所望の缶ジュース（商品）を手に取り、その缶ジュースに表示されるバーコード（商品コード部）をスキャナ２４の読取り窓にかざす。すると、決済端末１では、単品決済部２００ｃが、スキャナ２４が上記缶ジュースのバーコードを読取って、当該缶ジュースに対応付けられた商品コードを取得し、該取得した商品コードに基づいて、同店舗の会計場所に設置される親のＰＯＳ端末（不図示）や店舗のオフィスに設置されるストアサーバ（不図示）から当該商品コードに対応した価格（単価を示す情報で、例えば「１００円」など）を取得する。
【００５１】
続いて、決済端末１では、単品決済部２００ｃが、上記缶ジュースに関する情報、即ち、商品名（○○ジュースなど）や価格（「１００円」など）を液晶ディスプレイ２１に表示し、一商品である上記缶ジュースの電子マネー決済（電子決済）の実行を待機する。
【００５２】
この待機状態において、客が自己が所持する電子マネー情報が記憶された記憶媒体（携帯電話機や電子マネーカードなど）を電子マネーＲＷ２３の読取り窓にかざすと、決済端末１では、単品決済部２００ｃが、電子マネーＲＷ２３を介して上記缶ジュースの決済（会計）処理を実行する。この時、残高が足りて無事に電子決済が終了した場合には、決済端末１は、液晶ディスプレイ２１に決済が終了した旨を客に通知する情報（例えば、「決済が終了しました。決済済みシールが発行されますので、商品に貼付してお持ち帰り下さい。」など）を表示する。一方、残高が足りなくて電子決済が終了しなかった場合には、決済端末１は、液晶ディスプレイ２１に残高不足を客に通知する情報（例えば、「５０円残高が不足しています。」など）を表示する。
【００５３】
なお、上述した処理において決済が無事に終了すると、決済端末１は、記憶装置２０ｄなどに、一取引に係る商品の売上情報（商品名「○○ジュース」、単価「１００円」、個数「１」など）を所定の売上ファイルに登録する。
【００５４】
次に、ステップＳ４の処理において、客がコンビニエンスストアなどの店舗において缶ジュース（商品）とパン（商品）という２つの商品を購入する場合の複数決済処理について説明する。
【００５５】
この場合、ステップＳ３の処理において、決済端末１が設置されるコンビニエンスストアなどの店舗に訪れた客が商品陳列棚から所望の缶ジュース（商品）とパン（商品）を手に取り、まず、缶ジュースに表示されるバーコード（商品コード部）をスキャナ２４の読取り窓にかざす。
【００５６】
すると、決済端末１では、複数決済部２００ｄが、スキャナ２４が上記缶ジュースのバーコードを読取り、続いて、上記缶ジュースに対応付けられた商品コードを取得し、該取得した商品コードに基づいて、上記親のＰＯＳ端末（不図示）や上記ストアサーバ（不図示）から商品コードに対応した価格（例えば、「１００円」など）を取得する。
【００５７】
続いて、決済端末１では、複数決済部２００ｄが、上記缶ジュースに関する情報、即ち、商品名（○○ジュースなど）を液晶ディスプレイ２１に表示し、続いて、客による他の商品のバーコードをスキャナに読み取らせるための読み取り操作が行われることを待機したり、客によりタッチパネルを介して所定の締め操作が行われるのを待機したり、電子マネーＲＷ２３の読取り窓に記憶媒体がかざされるのを待機する。
【００５８】
ここで、客が他の商品、即ち、パンに表示されるバーコード（商品コード部）をスキャナ２４の読取り窓にかざす。
【００５９】
すると、決済端末１では、複数決済部２００ｄが、スキャナ２４が上記パンのバーコードを読取り、続いて、上記パンに対応付けられた商品コードを取得し、該取得した商品コードに基づいて、上記親のＰＯＳ端末（不図示）や上記ストアサーバ（不図示）から商品コードに対応した価格（例えば、「１２０円」など）を取得し、続いて、決済端末１は、上記パンに関する情報、即ち、商品名（○○パンなど）を液晶ディスプレイ２１に表示し、続いて、客による他の商品のバーコードをスキャナに読み取らせるための読み取り操作が行われることを待機するとともに、商品の電子マネー決済（電子決済）の実行を待機する。
【００６０】
そして、客が購入希望する全ての商品のバーコードを読み取らせたことにより、客が自己が所持する電子マネー情報が記憶された記憶媒体（携帯電話機や電子マネーカードなど）を電子マネーＲＷ２３の読取り窓にかざすと、決済端末１では、電子マネーＲＷ２３を介して上記缶ジュースおよびパンという２つの商品の決済（会計）処理を実行する。この時、上述したのと同様に、決済端末１は、液晶ディスプレイ２１に、決済が終了した旨を客に通知する情報や残高不足を客に通知する情報などを表示する。
【００６１】
なお、上述した処理において決済が無事に終了すると、決済端末１では、複数決済部２００ｄが、記憶装置２０ｄなどに、一取引に係る商品の売上情報（商品名「○○ジュース」、単価「１００円」、個数「１」と、商品名「○○パン」、単価「１２０円」、個数「１」など）を所定の売上ファイルに登録する。
【００６２】
次に、ステップＳ５の処理において、例えば、コンビニエンスストアなどの店舗の会計場所に複数（多数）の客が決済（会計）待ちで行列を作っている場合などにおいて、店員が商品陳列棚に設置されているある一つの決済端末１の本体部２を保持部３から取り外して、上記行列を作っている客の買い物籠に入っている商品、例えば、缶ジュースとパンという２つの商品を事前登録する前捌き処理を行う場合について説明する。
【００６３】
この場合、ステップＳ５の処理において、店員が、上記客の上記買い物籠に入っている商品、缶ジュースとパンという２つの商品のバーコードをスキャナ２４に読み込ませる。すると、本体部２では、前捌き部２００ｅが、スキャナ２４を介して読み込んだ「缶ジュース」および「パン」という２つの商品の各商品コードを取得し、該取得した各商品コードに基づいて上記親のＰＯＳ端末やストアサーバから各商品（缶ジュースおよびパン）の商品情報（商品名「○○ジュース」、価格「１００円」、個数「１」、および、商品名「○○パン」、価格「１２０円」、個数「１」など）を売上ファイルに登録し、該登録した情報をコード化したＱＲコード（２次元コード）を印字した事前登録券Ｒ（図１０参照）をプリンタＰ２を用いて発行する。これにより、店員が上記発行された事前登録券Ｒを該当する客に手渡す。
【００６４】
以上説明した実施形態によれば、一つの商品のみを購入希望する客（利用者）にとっては会計場所などに並ばずとも陳列棚に設置されている決済端末１を用いて単品決済を行うことができるため、利用者にとって使い勝手の良い決済端末を提供することができる。
【００６５】
以上、例示的な実施形態に基づいて説明したが、本発明は、上記した実施形態により限定されるものではない。
【００６６】
なお、上記した実施形態では、本体部２が保持部３に保持されている場合に、切替ボタン２５の切替指示に基づき、単品決済モードおよび複数決済モードのいずれか一方を実行可能な形態について説明したが、これに限定されず、単品決済モードのみ実行可能なように構成することも可能である。
【００６７】
また、上記した実施形態では特に説明していないが、切替ボタン２５および確認ボタン２６は、店員などの店舗の関係者のみが操作でき、客が操作できないように構成しても良い。例えば、上記関係者がタッチパネルなどを介してパスワードを入力することで上記切替ボタン２５および確認ボタン２６が操作できるように構成することも可能であるし、本体部２に設けられた鍵穴に所定の鍵（キー）を入れてロックを解除することで上記切替ボタン２５および確認ボタン２６が操作できるように構成することも可能である。
【００６８】
また、上記した実施形態では特に説明していないが、決済済みシールＳを印字発行するプリンタＰ１や事前登録券Ｒを印字発行するプリンタＰ２の種類は問わないものとする。
【００６９】
また、上記した実施形態における本体部２と保持部３とを連結する部材（第１の連結部２８、２８、第２の連結部２９、２９、第１の連結部３２、３２、第２の連結部３３、３３など）および本体部２と保持部３とを電気的に接続する部材（一対の電源端子Ｔ１、Ｔ１、通信端子Ｔ２、一対の給電端子Ｔ３、Ｔ３、通信端子Ｔ４など）の形状や、設置箇所なども任意に設定することが可能である。
【００７０】
また、上記した実施形態の決済端末１（本体部２）で実行されるプログラムは、ＲＯＭ２０ｂなどの記憶部に予め組み込んで提供することが可能である。また、上記プログラムは、インストール可能な形式または実行可能な形式のファイルでコンピュータで読み取り可能な記憶媒体に記憶して提供することが可能である。更に、上記プログラムは、インターネットなどのネットワーク経由で提供または配布したりすることも可能である。
【００７１】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１  決済端末
２  本体部
３  保持部
２０ａ  ＣＰＵ
２００  処理制御部
２００ａ  状態判定部
２００ｂ  決済モード切替部（決済モード切替手段）
２００ｃ  単品決済部
２００ｄ  複数決済部
２００ｅ  前捌き部
２００ｆ  プリンタ切替部（プリンタ切替手段）
２００ｇ  購入履歴確認部（確認モード実行手段）
２３  電子マネーＲＷ（リーダライタ）
２５  切替ボタン（切替指示手段）
２６  確認ボタン（確認指示手段）
Ｓ  決済済みシール
Ｒ  事前登録券
【先行技術文献】
【特許文献】
【００７３】
【特許文献１】特開２００７−１４１１２０号公報
【図１】
0005462226.tif 000002
【図２】
0005462226.tif 000003
【図３】
0005462226.tif 000004
【図４】
0005462226.tif 000005
【図５】
0005462226.tif 000006
【図６】
0005462226.tif 000007
【図７】
0005462226.tif 000008
【図８】
0005462226.tif 000009
【図９】
0005462226.tif 000010
【図１０】
0005462226.tif 000011
【図１１】
0005462226.tif 000012